(57)【要約】【課題】データの再転送を効率的に制限する。【解決手段】画像ファイル９４の再生には付随ファイル９６が必要となるようにし、画像ファイル９４は変更せずに、該画像ファイル９４に付随する付随ファイル９６を転送によって変更して、該画像ファイル９４を再生不能にする。具体的には、デジタルカメラ１０から再生装置９２Ａへは、画像ファイル９４及び付随ファイル９６が、それぞれ同一の装置情報「０１２３ＡＢＣＤ」、すなわちデジタルカメラ１０のシリアル番号が記載された状態のまま転送し、再生装置９２Ａから再生装置９２Ｂへは、画像ファイル９４側の装置情報は「０１２３ＡＢＣＤ」のままで、付随ファイル９６側の装置情報は再生装置９２Ａのシリアル番号「０１２４ＡＢＣＤ」に更新されて転送し、再生装置９２Ｂでは画像ファイル９４を再生出来ないようにする。【選択図】　図５
2004030281.tif 000002
【特許請求の範囲】
【請求項１】
再生装置により再生される再生データに対して、該再生データと共に転送され、且つ２回目以降の転送時に少なくとも一部が変更される付随データを対応付けると共に、
前記変更前の対応付けられた前記付随データが有る場合にのみ、該再生データの再生が許可されるように再生制限を付加した後、
前記再生制限付加後の前記再生データを該再生データに対応する前記付随データと共に転送する、
ことを特徴とするデータ転送方法。
【請求項２】
通信によりデータを転送可能なデータ転送装置であって、
再生装置により再生される各再生データについて、該再生データの転送時に該再生データ共に転送され、且つ２回目以降の転送時に少なくとも一部が変更される付随データを生成する生成手段と、
前記再生データに対して、前記変更前の対応する前記付随データが有る場合にのみ再生が許可されるように再生制限を付加する制限付加手段と、を有し
前記制限付加手段による再生制限付加後の前記再生データを、該再生データに対応する前記付随データと共に転送する、
ことを特徴とするデータ転送装置。
【請求項３】
撮影した被写体像を表す画像データを取得するデジタルカメラであって、
請求項２に記載のデータ転送装置を備え、取得した前記画像データを前記再生データとして前記データ転送装置により転送する、
ことを特徴とするデジタルカメラ。
【発明の詳細な説明】
【０００１】
【発明の属する技術分野】
本発明は、データ転送方法、データ転送装置、及びデジタルカメラに係わり、特に、再生装置で再生可能なデータを転送するためのデータ転送方法、データ転送装置、及び被写体を撮影し、撮影した被写体像を表す画像データを取得するデジタルカメラに関する。
【０００２】
【従来の技術】
従来より、デジタルカメラでは、撮影した被写体像を表す画像データをメモリカードなどの記録メディアに記録しておき、後から該記録媒体に記録された画像データをパソコンなどのデータ処理装置で読出して、データ処理装置側のメモリに格納したり、再生表示することができるようになっている。
【０００３】
また、記録メディアは、記録したデータが不要となった場合に消去して、他のデータを書込むことができるという特徴を有する。しかしながら、一旦、記録されたデータで記録媒体が一杯になると、記録媒体に記録されている画像データを無理矢理、或いはデータ処理装置で読み出してから消去するまで、次の撮影を行うことができず、記録媒体の容量により撮影可能な枚数が制限されるという問題があった。
【０００４】
このため、近年は、携帯電話やＰＨＳなどの通信装置に接続してデータ通信を行うことができるデジタルカメラや、デジタルカメラ自体に通信機能を備えたものも開発されている。このようなデジタルカメラでは、手軽に撮影した画像データを転送することができるという利点を有する一方、デジタルデータは簡単にコピー可能であるため、撮影者の意図に反して、撮影した画像データが転送先からさらに再転送されて不正利用される恐れがあった。
【０００５】
従来より、データの不正コピーを防止する技術として、特開平１１−８６４３５号公報に記載されているように、映像や音声などのデータにコピー禁止情報を埋め込み、コピーの可否やコピー回数を制限する技術が知られている。また、特開２００１−２５０３２０号公報には、映像データがコピーされた場合に、コピーされた映像データが記録されたメディアからデータ自体を消去してしまう技術も提案されている。
【０００６】
【発明が解決しようとする課題】
しかしながら、データ自体にコピー禁止情報が埋め込む場合、データを再生した時に質（画質や音質）が低下してしまうという問題があった。また、特開２００１−２５０３２０号公報記載の技術では、一旦コピーした後でデータを消去するので、コピー処理が全て無駄になり、非効率的である。例えば、後から正規のコピー許可を取得したとしても、データが消去されてしまっているので、再度コピーし直す必要がある。
【０００７】
本発明は上記問題点を解消するためになされたもので、データの再転送を効率的に制限可能なデータ転送方法、データ転送装置、及びデジタルカメラを提供することを目的とする。
【０００８】
【課題を解決するための手段】
上記目的を達成するために、請求項１に記載の発明は、再生装置により再生される再生データに対して、該再生データと共に転送され、且つ２回目以降の転送時に少なくとも一部が変更される付随データを対応付けると共に、前記変更前の対応付けられた前記付随データが有る場合にのみ、該再生データの再生が許可されるように再生制限を付加した後、前記再生制限付加後の再生データを該再生データに対応する前記付随データと共に転送する、ことを特徴としている。
【０００９】
請求項１に記載の発明によれば、再生装置は、対応する付随データが有る場合にのみ再生が許可されるように再生制限が付加された後、該対応する付随データと共に転送される。付随データは、２回目以降の転送時に少なくとも一部が変更されるようになっている。例えば、前記付随データは、装置を表す装置情報を含み、転送の際に、現在の再生装置を表す装置情報に更新されるようにすれば、結果として、２回目以降の転送時に、付随データの一部を変更することができる。
【００１０】
これにより、１回目の転送では、転送先の再生装置において再生データを再生できるが、２回目の転送、すなわち１回目の転送先の再生装置から他の再生装置へ再転送する場合には、付随データの少なくとも一部が変更されて転送されるため、再転送先の再生装置において再生データを再生することはできない（転送不能）。３回目以降の転送でも付随データが変更されるため、同様に転送先の再生装置では再生不能となる。
【００１１】
すなわち、再生データの再転送（２回目以降の転送）はできても、転送先の再生装置では再生不能とすることで、不正利用を防止することができる。また、付随データ側を変更することで再生データを再生不能にするので、再生データの情報を操作しないで済み、画質劣化の心配がなく、また再生不能から再生可能な状態にするには、正規の付随データを受取るだけでよく、不正であっても再生データの転送動作自体が全くの無駄になることはない。
【００１２】
上記のデータ転送方法においては、前記付随データの少なくとも一部の変更を伴う転送の際に、該転送に先だって、該変更を行うようにするとよい。これにより、再生データを再転送しようとしただけで、転送する側での該再生データを再生不能にすることができ、再転送の抑止効果がある。
【００１３】
なお、上記のデータ転送方法は、転送対象の再生データの種類を特に限定するものではなく、静止画像や動画像を表す画像データ、音声データ、テキストデータ、ワープロ、表計算、描画などのアプリケーションソフトウェアで作成されたデータなど、あらゆる種類のデータについて、再転送による不正利用を防止するために適用可能である。
【００１４】
なお、上記のデータ転送方法は、データ転送装置にその機能を搭載することで容易に実現することができる。詳細には、通信によりデータを転送可能なデータ転送装置であって、再生装置により再生される各再生データについて、該再生データの転送時に該再生データ共に転送され、且つ２回目以降の転送時に少なくとも一部が変更される付随データを生成する生成手段と、前記再生データに対して、前記変更前の対応する前記付随データが有る場合にのみ再生が許可されるように再生制限を付加する制限付加手段と、を有し、前記制限付加手段による再生制限付加後の前記再生データを、該再生データに対応する前記付随データと共に転送する、ことを特徴とする。
【００１５】
また、このデータ転送装置をデジタルカメラに搭載することで、撮影者が、再転送の心配せずに、デジタルカメラで撮影した画像データを気軽に転送することが可能となる。すなわち、撮影した被写体像を表す画像データを取得するデジタルカメラであって、請求項２に記載のデータ転送装置を備え、取得した前記画像データを前記再生データとして前記データ転送装置により転送する、ことを特徴とする。
【００１６】
なお、上記のデータ転送装置及びデジタルカメラは、通信によりデータを転送するための通信装置と、所定の接続部材を介して接続可能としてもよいし、通信装置と一体化されていてもよい。
【００１７】
【発明の実施の形態】
次に、図面を参照して本発明に係る実施形態の１例を詳細に説明する。なお、以下では、本発明をデジタルカメラに適用した場合を例に説明する。
【００１８】
図１（Ａ）に示すように、本発明が適用されたデジタルカメラ１０の正面には、露光に際して被写体が適正な露光光量が得られない低照度の場合に発光されるストロボ１２と、撮影される被写体像と略同等の像を示す光が入射するファインダー窓１４と、被写体像を結像させるための撮影レンズを含んだ光学ユニット１６と、が設けられている。また、デジタルカメラ１０の側面には、撮影によって得られた画像データをデジタルデータとして記憶する可搬型の記録メディア（本実施の形態では、スマートメディア）１８（図２参照、図１では省略）を装着可能なスロット２０と、通信装置３６（図２参照、図１では省略）と接続するための所定のケーブル（図示省略）の一端が装着可能な端子（例えばＵＳＢ端子）３８と、が設けられている。
【００１９】
なお、光学ユニット１６内の撮影レンズは、１枚又は複数枚のレンズで構成され、単一の焦点距離（固定焦点）のレンズでも良いし、ズームレンズや望遠／広角の二焦点切替式レンズの如く焦点距離可変のものでもよい。
【００２０】
一方、デジタルカメラ１０の背面には、図１（Ｂ）に示すように、撮影によって得られた被写体像、各種メニュー、パラメータ等を表示する表示装置（ＬＣＤ）２４と、ファインダー窓１４から入射した光が図示しない光学部材を介して案内され、撮影する被写体像の構図を決定する際に撮影者によって覗かれるファインダー接眼部２６と、撮影倍率をアップ又はダウンしたり、表示装置２４に表示されたメニュー画面から所望のメニュー項目又はパラメータを選択する際に撮影者によって操作される十字ボタン２８と、が設けられている。
【００２１】
更に、デジタルカメラ１０の上面には、デジタルカメラ１０の各部への電源電力の供給／供給停止の切り替えを行う電源スイッチ３０と、撮影記録の指示入力のために撮影者によって押圧操作されるシャッタスイッチ（所謂レリーズスイッチ）３２と、撮影モードを選択する際に撮影者によって回転操作されるモードダイヤル３４と、が設けられている。
【００２２】
次に、図２を参照して、本実施の形態に係るデジタルカメラ１０の電気系の構成を説明する。
【００２３】
同図に示すように、デジタルカメラ１０は、光学ユニット１６の光軸後方に配置されたＣＣＤ（Ｃｈａｒｇｅ　Ｃｏｕｐｌｅｄ　Ｄｅｖｉｃｅ）５０と、ＣＣＤ５０から読み出された被写体像を示す出力信号を相関二重サンプリング（ＣＤＳ：Ｃｏｒｒｅｌａｔｅｄ　Ｄｏｕｂｌｅ　Ｓａｍｐｌｉｎｇ）処理すると共に、Ｒ、Ｇ、Ｂの各色信号に色分解処理して、各色信号の信号レベルの調整を行うＣＤＳ回路５２と、ＣＤＳ回路５２により処理されたアナログ信号をデジタル信号に変換するアナログ／デジタル変換器（以下、「Ａ／Ｄ変換器」と称す）５４と、ＣＣＤ５０を駆動するためのタイミング信号を生成するタイミングジェネレータ（ＴＧ）５６と、光学ユニット１６を駆動するための各種のモータ（例えば光学ユニット１６に含まれる撮影レンズを移動させるためのズームモータ、フォーカスレンズを移動させるためのＡＦ（Ａｕｔｏ　Ｆｏｃｕｓ）モータ、及び絞り・シャッタ機構を駆動するアイリスシャッタモータなど）を駆動するためのモータドライバ５８と、デジタルカメラ１０の全体的な動作を司る主制御部６０と、を備えている。
【００２４】
また、主制御部６０は、Ａ／Ｄ変換器５４によるデジタル変換後の信号をＣＣＤ５０による撮影結果（被写体像）を表す画像データとして入力するための画像入力制御部６２と、入力された画像データに対して所定のデジタル信号処理を行う画像信号処理回路６４と、表示装置２４に表示する画像データを格納するためのＶＲＡＭ６６と、ＶＲＡＭ６６に格納された画像データに基づく画像を表示するように表示装置２４の表示を制御するための表示制御部６８と、画像データを圧縮・伸長する圧縮伸長処理回路７０と、スロット２０に装填された記録メディア１８に対して各種情報を読み書きするメディア制御部７２と、端子３８に装着された所定のケーブルを介して接続された通信装置３６への各種情報の送受信を制御する通信制御部８８と、画像データに再生制限を付加する制限付加部９０と、ＣＣＤ５０による撮影結果に基づいて最適な焦点位置を検出するＡＦ検出回路７４と、ＣＣＤ５０による撮影結果に基づいて最適な露出及びホワイトバランスを検出するＡＥ（Ａｕｔｏ　Ｅｘｐｏｓｕｒｅ）・ＡＷＢ（Ａｕｔｏ　Ｗｈｉｔｅ　Ｂａｌａｎｃｅ）検出回路７６と、ワークメモリとして用いられるＳＤＲＡＭ（Ｓｙｎｃｈｒｏｎｏｕｓ　Ｄｙｎａｍｉｃ　ＲａｎｄｏｍＡｃｃｅｓｓ　Ｍｅｍｏｒｙ）７８と、各種プログラムやパラメータ等の情報が予め記憶されたＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ　Ｏｎｌｙ　Ｍｅｍｏｒｙ）８０と、ＥＥＰＲＯＭ８０から適宜情報を読み出して上記各部を制御するＣＰＵ８２と、がバス８４により相互に接続されている。また、ＣＰＵ６６は、ＴＧ５６、モータドライバ５８と接続されている。
【００２５】
さらに、ＣＰＵ８２は、ユーザにより操作する操作手段としてデジタルカメラ１０に設けられている前述の十字ボタン２８、電源スイッチ３０、シャッタスイッチ３２、及びモードダイヤル３４と接続されており、撮影者によるこれら操作手段の操作状態を常時把握できる。
【００２６】
ＣＰＵ８２は、これら操作手段の操作状態に応じて、上記主制御部６０の各部及びＴＧ５６及びモータドライバ５８の作動を制御するものである。
【００２７】
詳しくは、モードダイヤル３４により静止画又は動画撮影モードが選択されている場合、ＣＰＵ８２は、ＴＧ５６を駆動させ、所定のタイミングでＣＣＤ５０に被写体像を撮影させる。
【００２８】
なお、一般に、ＣＣＤ５０には、シャッターゲートを介してシャッタードレインが設けられており、シャッターゲートをシャッターゲートパルスによって駆動することにより、蓄積した信号電荷をシャッタードレインに掃き出すことができる。すなわち、ＣＣＤ５０は、シャッターゲートパルスによって各センサに蓄積される電荷の蓄積時間（シャッタスピード）を制御する、所謂電子シャッター機能を有しており、絞り・シャッタ機構のシャッタ機能の代わりにこの電子シャッター機能を用いるようにしてもよい。
【００２９】
ＣＣＤ５０から出力された被写体像を示すアナログ画像信号は、ＣＤＳ回路５２による処理が施され、Ａ／Ｄ変換器５４によりデジタル画像信号に変換された後、画像データとして、画像入力制御部６２から主制御部６０内に入力される。この入力された画像データは、バス８４を介してＳＤＲＡＭ７８に一旦蓄積される。
【００３０】
主制御部６０では、入力された画像データに基づいて、ＡＦ検出回路７４において焦点評価演算、ＡＥ・ＡＷＢ検出回路７６において、ＡＥ演算、ＡＷＢ演算が行われ、ＣＰＵ８２は、これらの演算に基づいて、モータドライバ５８を制御して、光学ユニット１６内のフォーカスレンズを合焦位置に移動させると共に、絞り・シャッタ機構を適正な露光制御値（絞り値やシャッタスピード）に設定し、ＡＷＢ調整値（後述のデジタルゲイン）を設定する。
【００３１】
例えば、ＡＦ制御には、Ｇ信号の高周波成分が最大になるようにフォーカスレンズを移動させるコントラストＡＦ方式が採用される。
【００３２】
ＡＥ制御には、１フレームのＲ、Ｇ、Ｂ信号を積算した積算値に基づいて被写体輝度（撮影ＥＶ）を求め、この撮影ＥＶに基づいて露光制御値として絞り値とシャッタースピードとを決定し、モータドライバ５８により絞り・シャッタ機構を駆動する。
【００３３】
また、ＡＷＢ調整には、被写体輝度（撮影ＥＶ）と、Ｒ／Ｇ、Ｂ／Ｇといった色情報を用いて光源種を判別し、光源の色温度に関わらずに、白い被写体が白く色再現されるようにホワイトバランスを調整するためのデジタルゲインを定める。
【００３４】
したがって、デジタルカメラ１０では、光学ユニット１６（撮影レンズ）を被写体に向けるだけで、ピント合わせが自動的に行われると共に、最適な露出調整及びＡＷＢ調整が行われる。
【００３５】
具体的には、モードダイヤル３４により静止画撮影モードが選択されている場合、すなわち静止画撮影記録時においては、シャッタスイッチ３２の「半押し」時に、上述した測光動作を複数回繰り返して、フォーカスレンズを移動してピントを合わせると共に、正確な撮影ＥＶを求め、この撮影ＥＶに基づいて撮影時の露光制御値としての絞り値及びシャッタースピードを最終的に決定し、且つデジタルゲインを決定する。そして、シャッタスイッチ３２の「全押し」時に前記最終的に決定した絞り値になるように絞り・シャッタ機構を駆動した後、前記最終的に決定したシャッタースピードとなるように絞り・シャッタ機構をさらに駆動する。また、このとき得られた画像データに対して、前記決定したデジタルゲインを用いて画像信号処理回路６４においてＡＷＢ調整処理が施される。
【００３６】
また、モードダイヤル３４により動画撮影モードが選択されている場合、すなわち動画撮影記録時においては、常時この制御が繰返し行され、該モード選択期間中は適切なＡＦ制御、ＡＥ制御、及びＡＷＢ調整が継続して行われる。
【００３７】
なお、ＡＥ、ＡＦは、ＣＣＤ５０から取得される画像信号に基づいて制御する方法の他、周知の測光センサやＡＦ投光／受光センサからなる測距センサ等を用いてもよい。
【００３８】
また、主制御部６０では、入力された画像データに対して、画像信号処理回路６４により所定のデジタル画像処理が施される。詳しくは、画像信号処理回路６４では、光源種に応じたデジタルゲインをかけることでＡＷＢ調整を行うと共に、ガンマ処理及びシャープネス処理を行って所定のデジタル画像データを生成し、更にＹＣ変換処理して、輝度データＹとクロマデータＣｒ、Ｃｂ（以下「ＹＣ信号」という）に変換する。画像信号処理回路６４により生成されたＹＣ信号は、ＶＲＡＭ６６に書込まれる。
【００３９】
ＶＲＡＭ６６に記憶されたＹＣ信号は、表示制御部６８に供給され、所定の方式の信号（例えば、ＮＴＳＣ方式のカラー復号映像信号）に変換されて表示装置２４に出力される。これにより、表示装置２４にＣＣＤ５０により撮影された被写体像を示す画像が表示される。
【００４０】
また、ＣＣＤ５０から出力される画像信号によって画像データが定期的に書き換えられ、その画像データから生成される映像信号が表示装置２４に供給されることにより、ＣＣＤ５０がとらえる被写体像が略リアルタイムに動画像として、或いは連続した画像として表示装置２４に表示される。
【００４１】
表示装置２４は、電子ビューファインダとして利用でき、撮影者はこの表示装置２４の表示画像（所謂スルー画像）、又は光学ファインダ（図１のファインダー窓１４から入射した光を図示しない光学部材によりファインダー接眼部２６に案内することで実現される）によって、撮影画角を確認することができる。シャッタスイッチ３２の押下操作など所定の記録指示（撮影指示）操作に呼応して、記録用の画像データの取り込みが開始される。
【００４２】
また、主制御部６０では、シャッタスイッチ３２の押下により撮影記録が指示されると、ＣＰＵ８２の制御により、画像信号処理回路６４で生成されたＹＣ信号が画像データとしてＳＤＲＡＭ７８にも格納される。この画像データは、必要に応じて、圧縮伸長処理回路７０でＪＰＥＧやＭＰＥＧなどの所定の圧縮方式で圧縮された後、所定の形式で画像データを格納した画像ファイル９４として、メディア制御部７２を介して、記録メディア１８に記録される。
【００４３】
なお、記録メディア１８としては、スマートメディアのほかにも、例えば、ＰＣカート、マイクロドライブ、マルチメディアカード（ＭＭＣ）、磁気ディスク、光ディスク、光磁気ディスク、メモリスティックなどの種々の形態が可能であり、使用されるメディアに応じた信号処理手段とインターフェースが適用される。
【００４４】
画像再生時には、記録メディア１８に記憶された再生対象の画像ファイル９４がメディア制御部７２を介して読み出されてＳＤＲＡＭ７８に格納される。このＳＤＲＡＭ７８に格納された画像ファイル９４は、圧縮伸長処理回路７０によって伸長処理された後、ＳＤＲＡＭ７８に書き戻され、ＶＲＡＭ６６に再生用画像データとして蓄積して、表示制御部６８を介して表示装置２４に表示される。
【００４５】
また、本実施の形態に関わるデジタルカメラ１０においては、端子３８に装着されたケーブルを介して通信装置３６と接続して用いることで、再生中の画像ファイル９４を通信装置３６から他の装置へ転送可能となっている。これにより、例えば、通信装置３６による通信により、再生中の画像ファイル９４を他の再生装置９２へ転送することができる。
【００４６】
通信装置３６には、携帯電話やＰＨＳは勿論のこと、モデムなどのネットワークを介して通信を行うための通信手段を備えたパソコンを用いることもでき、何れにしろ、従来公知の一般的なものを用いることができるので説明を省略する。
【００４７】
なお、本実施の形態では、端子３８に装着されたケーブルを介して通信装置３６と接続可能なデジタルカメラ１０を例に挙げたが、デジタルカメラ１０内に通信装置３６を備える、すなわち通信装置３６と一体化されたデジタルカメラでもよい。例えば、近年は、ＣＣＤを搭載した撮影機能付きの携帯電話も商品化されており、このような携帯電話もデジタルカメラに含まれるものとする。
【００４８】
再生装置９２には、ＬＣＤなどの表示手段を備え、表示手段に画像を再生表示する画像再生機能は勿論のこと、通信により送信された画像ファイル９４を受信する機能が必要とされる。例えば、携帯電話やＰＨＳといった、画像を再生表示可能な表示手段と共に、通信機能を備えた再生装置９２として用いてもよいし、一般的なパソコンやデジタルカメラといった表示手段を備えた装置をモデムや携帯電話などの通信装置と接続することで通信機能を備えるようにして再生装置９２として用いることもでき、これらについても従来公知の一般的なものでよいため、説明を省略する。なお、本デジタルカメラ１０も再生装置９２として利用可能である。
【００４９】
なお、本実施の形態では、再生モード選択時に、再生中の画像ファイル９４を送信可能とし、送信対象の画像ファイル９４は必ず一旦再生されるようにした場合を例に説明するが、本発明は、これに限定されるものではない。送信モードを更に設けるなどして、画像ファイル９４を一旦再生せずとも、送信対象の画像ファイル９４を指定して送信できるようにしてもよい。
【００５０】
また、本実施の形態では、デジタルカメラ１０に通信装置３６に接続して画像データを送信するようにした場合を例に説明するが、デジタルカメラ１０に通信機能を搭載してもよい。
【００５１】
ここで、本実施の形態に関わるデジタルカメラ１０においては、記録メディア１８に画像ファイル９４を記録する際に、制限付加部９０により、該画像ファイル９４の再生を制限する再生制限が付加されるようになっている。
【００５２】
制限付加部９０は、図２に示すように、本発明の生成手段としての付随ファイル生成部９０Ａと、制限付加手段としての制限付加処理部９０Ｂとを備えて構成されている。付随ファイル生成部９０Ａは、記録メディア１８に記録対象の画像ファイル９４に対して、付随ファイル９６を生成する。この付随ファイル９６は、該画像ファイル９４の転送時に一緒に転送されるファイルであり、１回目の転送はそのままの状態で転送されるが、２回目以降の転送では、該付随ファイル９６内の特定情報を更新（変更）する機能を有している。このような更新機能は、簡単なスクリプトのプログラムで実現可能である。
【００５３】
制限付加処理部９０Ｂは、付随ファイル生成部９０Ａで生成された付随ファイル９６と画像ファイル９４とを対応付け、該付随ファイル９６がなければ該画像ファイル９４を再生できないように、画像ファイル９４に対して再生制限を付加するものであり、画像ファイル９４は、再生制限が付加された後、付随ファイル９６と共に記録メディア１８に記録される。
【００５４】
このような再生制限は、簡単なスクリプトのプログラムで実現可能であり、画像ファイル９４のヘッダ部やフッタ部に容易に埋め込み可能であることは言うまでもない。また、画像ファイル９４に電子透かしを埋め込み、付随ファイル９６に該電子透かしを解除するプログラムを含ませたり、画像ファイル９４を暗号化し、付随ファイル９６に暗号を解除する鍵を含ませ、付随ファイル９６が無ければ画像ファイル９４を再生できないようにするようにしてもよい。
【００５５】
なお、付随ファイル９６は、特別なファイルである必要はなく、該デジタルカメラ１０固有の情報（以下、「装置情報」と称す）、例えば、ＥＥＰＲＯＭ８０に記憶されている該デジタルカメラ１０のシリアル番号等が書かれているテキストファイルをコピーして用いることもできる。この装置情報を転送の際に更新するようにすれば、該デジタルカメラ１０から再生装置９２へ転送する場合は、該デジタルカメラの装置情報のままだが、再生装置９２から他の再生装置９２Ｂへ転送（再転送）する際には、再生装置９２の装置情報に更新されるので、結果として２回目以降の転送で変更されることになる。以下では、このように付随ファイル９６に装置情報を記載する場合について説明する。
【００５６】
この場合、制限付加処理部９０Ｂは、例えば、デジタルカメラ１０で一般的に採用されているＥｘｉｆファイルフォーマットのように特定のタグにシリアルナンバーを記載するなどして、画像ファイル９４に該デジタルカメラ１０の装置情報を書き込んでおき、この装置情報と、対応付けた付随ファイル９６側に記載されている装置情報とを比較して合致していれば再生可能となるようにする。再生が許可されなかった場合には、再生不能を示す所定のメッセージやマークを表示装置２４に表示（エラー表示）したり、不正コピーであることを示す警告表示を行うようにする。
【００５７】
なお、本実施の形態では、制限付加部９０をハードウェア的に設けた場合を例に説明するが、ソフトウェア的に実現することも可能である。例えば、ＥＥＰＲＯＭ８０に記憶されたプログラムをＣＰＵ８２で実行することにより、上記で説明したような制限付加部９０が構築されるようにしてもよい。
【００５８】
次に、本実施の形態の作用として、デジタルカメラ１０で撮像して得られた画像ファイル９４を再生装置９２へ転送し、更に再生装置９２から他の再生装置９２へと再転送する場合について説明する。なお、１回目の転送先の再生装置のことを再生装置９２Ａ、２回目の転送先（すなわち再転送先）の再生装置のことを再生装置９２Ｂと称す。
【００５９】
本実施の形態のデジタルカメラ１０は、電源スイッチ３０の操作により起動され、撮影者は、被写体の撮影を行うときには、モードダイヤル３４を操作して静止画撮影モード又は動画撮影モードを選択する。
【００６０】
デジタルカメラ１０は、起動後、ＣＰＵ８２の制御により図３に示す処理が繰返し行われるようになっており、モードダイヤル３４により静止画撮影モード又は動画撮影モードが選択された場合には、図３のステップ１００からステップ１０２に進み、ＣＣＤ５０による連続撮影を開始して、ＣＣＤ５０がとらえる被写体像を略リアルタイムに表示装置２４に動画表示する（スルー画像表示）。なお、撮影者により光学ファインダを使用することが設定されている場合は、このスルー画像表示は省略される。
【００６１】
撮影者は、表示装置２４に表示されたスルー画像により（光学ファインダ使用の場合はファインダ接眼部２６を覗いて）撮影画角を確認し、構図を定めたら、シャッタスイッチ３２を押圧操作する。なお、静止画の場合は、シャッタスイッチ３２を半押状態で静止した後全押し、動画の場合は、シャッタスイッチ３２を全押しする。
【００６２】
このシャッタスイッチの押圧操作を受けて、次のステップ１０４からステップ１０６に進み、ＣＣＤ５０により被写体像を撮影して、該被写体像を示す画像データを取得し、続いてステップ１０８で、この画像データを圧縮伸長回路７０で圧縮し、所定の形式にファイル化して、画像ファイル９４を生成する。
【００６３】
この画像ファイル９４は制限付加部９０に転送され、次のステップ１１０で、付随ファイル生成部９０Ａで付随ファイル９６を作成すると共に、作成した付随ファイル９６と画像ファイル９４とを対応付け、該付随ファイル９６がなければ該画像ファイル９４を再生できないように、画像ファイル９４に対して再生制限を付加する。
【００６４】
具体的に、デジタルカメラ１０のシリアル番号を「０１２３ＡＢＣＤ」とすると、図５（Ａ）に示す如く、このとき画像ファイル９４及び付随ファイル９６には、それぞれ同一の装置情報「０１２３ＡＢＣＤ」が記載される。
【００６５】
そして、次のステップ１１２で、生成制限付加後の画像ファイル９４を付随ファイル９６と共に、メディア制御部７２を介して、記録メディア１８に記録して処理を終了する。
【００６６】
なお、所定時間経過しても、撮影者によりシャッタスイッチ３２が操作されなかった場合には、ステップ１０４で否定判定されて、省電力化のために処理を終了する。
【００６７】
一方、撮影者は、既に撮影した画像を表示装置２４に再生表示するときには、モードダイヤル３４を操作して再生モードに切換えると共に、十字ボタン２８の操作などによって再生したい画像ファイル９４を指定する。これにより、デジタルカメラ１０では、図３のステップ１００からステップ１２０へと進み、メディア制御部７２を介して、記録メディア１８から指定された再生対象の画像ファイル９４及び該画像ファイル９４に対応する付随ファイル９６を読出す。そして、次のステップ１２２で、読み出した付随ファイル９６を解析して、該付随ファイル９６により該画像ファイル９４の再生が許可されるか否かを判断する。
【００６８】
具体的に、本実施の形態では、付随ファイル９６内に記載されている装置情報が画像ファイル９４側の装置情報と一致するかを確認し、一致する場合にのみ再生が許可されるようになっている。
【００６９】
そして、再生が許可された場合は、次のステップ１２４から後述のステップ１２６に進み、不許可の場合にはステップ１２４からステップ１４０に進んで、表示装置２４にエラー表示して処理を終了する。
【００７０】
ここで、該デジタルカメラ１０で撮影して、記録メディア１８に記録された画像ファイル９４については、図５（Ａ）で示した如く、画像ファイル９４及び付随ファイル９６の装置情報は同一であるため、再生が許可されてステップ１２４からステップ１２６に進むことになる。
【００７１】
ステップ１２６では、画像ファイル９４に圧縮状態で含まれる画像データを伸長し、次のステップ１２８で伸長した画像データに基づく画像を表示装置２４に表示する。これにより、画像ファイル９４の画像が再生表示される。
【００７２】
ここで、撮影者は該画像ファイル９４を転送したい場合は、デジタルカメラ１０を通信装置３６と接続し、十字ボタン２８を操作することで、画像を再生表示中の画像ファイル９４の転送指示を入力することができるようになっている。
【００７３】
ＣＰＵ８２は、この転送指示が入力された場合は、次のステップ１３０からステップ１３２に進み、画像を再生表示中の画像ファイル９４と、該画像ファイル９４に対応する付随ファイル９６とを通信制御部８８を介して通信装置３６へ送信してから処理を終了する。これにより、該画像ファイル９４及び付随ファイル９６を通信装置３６から指定された宛先、すなわち再生装置９２Ａへと転送することができる。
【００７４】
ここで、付随ファイル９６は、自動的に装置情報を更新してから転送されるようになっているが、デジタルカメラ１０で撮影したものに関しては、該デジタルカメラ１０の装置情報が用いられているので更新によって変更されることはない。すなわち、再生装置９２Ａへは、図５（Ｂ）に示すように、画像ファイル９４及び付随ファイル９６は、それぞれ同一の装置情報「０１２３ＡＢＣＤ」が記載された状態のまま転送される。
【００７５】
一方、所定時間経過しても転送指示が入力されなかった場合は、ステップ１３０からそのまま処理を終了する。
【００７６】
次に、図４を参照して、通信装置３６から画像ファイル９４及び付随ファイル９６が転送された再生装置９２Ａの動作について説明する。なお、図４には、再生装置９２において画像ファイル９４及び付随ファイル９６を受信した場合に行われる処理が示されている。
【００７７】
図４に示すように、再生装置９２Ａでは、画像ファイル９４及び付随ファイル９６を受信すると、ステップ２００からステップ２０２に進み、該受信したデータを該装置９２Ａが備えているメモリに記録する。そして、再生装置９２Ａの操作者により該画像ファイル９４の再生指示が入力された場合には、画像ファイル９４に再生制限が付加されているため、再生装置９２Ａでは、デジタルカメラ１０での再生時と同様の処理がなされる。
【００７８】
すなわち、再生指示が入力されると、ステップ２０４からステップ２０６に進み、該画像ファイル９４と共に付随ファイル９６が読み出され、ステップ２０８で読み出した付随ファイル９６を解析して、該付随ファイル９６により該画像ファイル９４の再生が許可された場合にのみ、次のステップ２１０からステップ２１２に進む。ここでは、図５（Ｂ）で示した如く、画像ファイル９４及び付随ファイル９６の装置情報は同一であるため、再生が許可されてステップ２１０からステップ２１２に進み、画像ファイル９４に圧縮状態で含まれる画像データが伸長され、次のステップ２１４で伸長した画像データに基づく画像が表示装置２４に表示される。これにより、再生装置９２Ａでも画像ファイル９４の画像が再生表示される。
【００７９】
次に、再生装置９２Ａの操作者により画像ファイル９４を再生装置９２Ａから他の再生装置９２Ｂへ再転送するように指示された場合について説明する。前述したように付随ファイル９６は、自動的に装置情報を更新してから転送されるようになっているため、この場合、再生装置９２Ａでは、図４のステップ２０４からステップ２４０を介してステップ２４２に進み、該装置９２が備えているメモリに記録されている該画像ファイル９４に対応する付随ファイル９６を更新した後、ステップ２４４に進み、該画像ファイル９４を更新後の付随ファイル９６と共に読み出して、再生装置９２Ｂへと転送することになる。
【００８０】
例えば、再生装置９２Ａのシリアル番号を「０１２４ＡＢＣＤ」とすると、再生装置９２Ｂへは、画像ファイル９４側の装置情報は「０１２３ＡＢＣＤ」のままで、付随ファイル９６側の装置情報が「０１２４ＡＢＣＤ」に更新されて転送される。
【００８１】
この再生装置９２Ａから再転送された画像ファイル９４及び付随ファイル９６を受信した再生装置９２Ｂでも、再生装置９２Ａと同様に図４に示す処理が行われる。
【００８２】
すなわち、再生装置９２Ｂでも画像ファイル９４及び付随ファイル９６を受信すると、図４のステップ２００からステップ２０２に進み、該受信したデータを該装置９２Ｂが備えているメモリに記録し、再生装置９２Ｂの操作者により該画像ファイル９４の再生指示が入力されたら、ステップ２０４からステップ２０６に進み、該画像ファイル９４と共に付随ファイル９６を読み出し、ステップ２０８で読み出した付随ファイル９６を解析して、該付随ファイル９６により該画像ファイル９４の再生が許可されるか否かを判断する。
【００８３】
このとき、図５（Ｃ）に示した如く、付随ファイル９６側の装置情報がデジタルカメラ１０から再生装置９２Ａのシリアル番号に変更されているので、再生は不許可となり、次のステップ２１０からステップ２２０に進み、表示手段にエラーが表示される。以降、再生装置９２Ｂから他の再生装置へ画像ファイル９４を再々転送、さらに該他の装置から再々々転送、…されたときも同様の結果となる。
【００８４】
すなわち、デジタルカメラ１０から再生装置９２Ａに転送された画像ファイル９４を更に他の再生装置９２Ｂへ転送しても、２回目以降の転送では、転送先の再生装置９２Ｂでは画像ファイル９４を再生することはできない（再生不能）。これにより、撮影者の意図に反して、撮影した画像ファイル９４が繰返し転送されて氾濫することを防止できる。
【００８５】
ところで、画像ファイル９４の転送が指示された場合に、転送に先だって、付随ファイル９６の更新が行われるようになっており、前述したように、再生装置９２Ａにおいて画像ファイル９４を再生装置９２Ｂへ再転送する際にも、この付随ファイル９６の更新が行われる。したがって、再生装置９２Ａでは、図６（Ａ）から（Ｂ）にしめすように、画像ファイル９４側の装置情報は「０１２３ＡＢＣＤ」のままであるが、付随ファイル９６側の装置情報が、「０１２３ＡＢＣＤ」から「０１２４ＡＢＣＤ」に変わり、以降、再生装置９２Ａにおける画像ファイル９４再生は不許可となる。
【００８６】
すなわち、再生装置９２Ａでは、デジタルカメラ１０から転送されてきた画像ファイル９４を他の再生装置９２Ｂへ再転送しようとしただけで、該画像ファイル９４を再生することができなくなる。このように、画像ファイル９４の再転送先の再生装置９２Ｂだけではなく、再転送した側の再生装置９２Ａでも該画像ファイル９４を再生不能とするペナルティーを課すことで、画像ファイル９４の再転送（不正転送）の抑止効果が得られる。
【００８７】
このように、本実施の形態では、画像ファイル９４の再生に付随ファイル９６が必要となるようにし、画像ファイル９４は変更せずに、該画像ファイル９４に付随する付随ファイル９６を転送によって変更して、該画像ファイル９４を再生不能にするようにしたことで、画像データの情報が操作されず画質劣化の心配がない。
【００８８】
また、不正転送のために再生不能な状態であっても、正規の付随ファイル９６の転送を受ければ再生可能な状態にすることができる。例えば、再生不能状態となっている再生装置９２Ａ、９２Ｂの操作者から撮影者側に著作権料が支払われるなどしたら、正規の付随ファイル９６のみを再生装置９２Ａ、９２Ｂへ転送し、再生可能な状態にすることができ、不正ではあったが画像ファイル９４の転送動作が全くの無駄になることはない。
【００８９】
なお、上記では、本発明のデータ転送装置をデジタルカメラに適用し、デジタルカメラで撮影した静止画や動画を表す画像データ（画像ファイル）を転送する場合を例に説明したが、デジタルカメラ以外の装置や、画像データ以外のデータを転送する場合にも適用可能であることは言うまでもない。
【００９０】
例えば、ボイスメモなどの録音機能を備えたデジタルカメラであれば、録音した音声を表す音声データを転送するときにも本発明を適用可能である。また、例えば、パーソナルコンピュータやサーバ装置により、インターネットなどのネットワークを介して各種データを転送（配信）する場合にも、適用可能である。
【００９１】
【発明の効果】
上記に示したように、本発明は、データの再転送を効率的に制限することができるという優れた効果を有する。
【図面の簡単な説明】
【図１】本発明の実施の形態に関わるデジタルカメラの正面（Ａ）及び背面（Ｂ）を示す斜視図である。
【図２】本発明の実施の形態に関わるデジタルカメラの電気系の構成を示すブロック図である。
【図３】本発明の実施の形態に関わるデジタルカメラで実行される処理を示すフローチャートである。
【図４】本発明の実施の形態に関わるデジタルカメラで取得された画像ファイルが転送又は再転送された再生装置で実行される処理を示すフローチャートである。
【図５】（Ａ）〜（Ｃ）は、本発明の実施の形態に関わるデジタルカメラで取得した画像ファイルを再生装置へ転送、更に再転送した場合の画像ファイル、付随ファイル、及び画像ファイルの再生可能／不能の状態を説明するための図である。
【図６】（Ａ）、（Ｂ）は、本発明の実施の形態に関わるデジタルカメラから転送された画像ファイルを受信した再生装置における再転送指示前後の、画像ファイル、付随ファイル、及び画像ファイルの再生可能／不能の状態変化を説明するための図である。
【符号の説明】
１０　デジタルカメラ
１８　記録メディア
２４　表示装置
３６　通信装置
３８　端子
５０　ＣＣＤ
６０　主制御部
７０　圧縮伸長処理回路
７２　メディア制御部
８８　通信制御部
９０　制限付加部
９０Ａ　　　　　　付随ファイル作成部
９０Ｂ　　　　　　付加処理部
９２Ａ、９２Ｂ　　　　　再生装置
９４　画像データ
９６　付随ファイル
【図１】
2004030281.tif 000003
【図２】
2004030281.tif 000004
【図３】
2004030281.tif 000005
【図４】
2004030281.tif 000006
【図５】
2004030281.tif 000007
【図６】
2004030281.tif 000008